(57)【特許請求の範囲】
【請求項１】
河川の側部で河川に沿って延在して設けられる護岸構造であって、
河川の側部に沿って直線状に並べられた多数のプレキャストコンクリートブロックからなるブロック列が、上下に複数段積み重ねられて構成され、
前記ブロック列のうち最も下位に位置する第１ブロック列は、河川の平常水位において、河川の水が第１ブロック列の下端よりも上位に位置するように設置され、
前記第１ブロック列を構成する各プレキャストコンクリートブロックの内部には、河川の水の流れ方向にのみ相互に連通される空間部が形成されると共に、該空間部に礫が充填され、
前記第１ブロック列を構成するプレキャストコンクリートブロックのうち河川の最も上流側に位置するプレキャストコンクリートブロックの前記空間部に、河川の水が導入される導入路が連結され、
前記第１ブロック列を構成するプレキャストコンクリートブロックのうち河川の最も下流側に位置するプレキャストコンクリートブロックの前記空間部にプレキャストコンクリートブロック内の水を河川に戻す排出路が連結されている、
ことを特徴とする河川の護岸構造。
【請求項２】
河川の底は、前記空間部の下端よりも上位に位置する請求項１記載の河川の護岸構造。
【請求項３】
前記第１ブロック列の各プレキャストコンクリートブロックは直方体の側面をなす４つの側壁から上下に開放状に形成されたものが上下に２段積み重ねて構成され、該上下に２段積み重ねられたプレキャストコンクリートブロックは基礎コンクリート上に設置され、前記礫は、基礎コンクリート上において下位のプレキャストコンクリートブロックの内部に充填され、前記充填された礫の上にコンクリートが打設され、上位のプレキャストコンクリートブロックの内部で前記コンクリート上には土壌が収容され、土壌には植物が植えられている請求項１または２記載の河川の護岸構造。
【請求項４】
前記第１ブロック列の上に積み重ねられるブロック列を構成する各プレキャストコンクリートブロックは直方体の側面をなす４つの側壁から上下に開放状に形成され、かつ、前記ブロック列は、上位に位置するブロック列にしたがって下位のブロック列の河川側部分を上方に開放させるように下位のブロック列の河川側の側壁に対して上位のブロック列の河川側の側壁を河川から離れるように設置され、各ブロック列のプレキャストコンクリートブロックの内部に土壌が収容され、前記上方に開放されたブロック列の部分の土壌に植物が植えられている請求項３記載の河川の護岸構造。
【請求項５】
最も上位のブロック列のプレキャストコンクリートブロックの土壌に、河川の水がポンプにより供給される請求項４記載の河川の護岸構造。
【発明の詳細な説明】
【０００１】
【発明の属する技術分野】
本発明は水浄化機能を備えた河川の護岸構造に関する。
【０００２】
【従来の技術】
従来、河川の護岸構造としては、コンクリート製のパネルを河川の側部に敷き詰めるものが一般的である。
そして、従来の護岸構造は何れも、流水による先堀を防止する護岸としてしか機能していない。
【０００３】
【発明が解決しようとする課題】
一方、地球環境保護の観点から、河川を流れる水を浄化できれば望ましいが、護岸構造とは別に水の浄化専用の装置を設置するのでは、コスト的にも、また、スペース的にも現実的に困難で日本全国の河川において広く採用されにくい。  本発明は前記事情に鑑み案出されたものであって、本発明の目的は、容易に実現できる水の浄化機能を備えた河川の護岸構造を提供することにある。
【０００４】
【課題を解決するための手段】
前記目的を達成するため本発明は、河川の側部で河川に沿って延在して設けられる護岸構造であって、河川の側部に沿って直線状に並べられた多数のプレキャストコンクリートブロックからなるブロック列が、上下に複数段積み重ねられて構成され、前記ブロック列のうち最も下位に位置する第１ブロック列は、河川の平常水位において、河川の水が第１ブロック列の下端よりも上位に位置するように設置され、前記第１ブロック列を構成する各プレキャストコンクリートブロックの内部には、河川の水の流れ方向にのみ相互に連通される空間部が形成されると共に、該空間部に礫が充填され、前記第１ブロック列を構成するプレキャストコンクリートブロックのうち河川の最も上流側に位置するプレキャストコンクリートブロックの前記空間部に、河川の水が導入される導入路が連結され、前記第１ブロック列を構成するプレキャストコンクリートブロックのうち河川の最も下流側に位置するプレキャストコンクリートブロックの前記空間部に、プレキャストコンクリートブロック内の水を河川に戻す排出路が連結されていることを特徴とする。
【０００５】
また、本発明は、河川の底が、前記空間部の下端よりも上位に位置することを特徴とする。
また、本発明は、前記第１ブロック列の各プレキャストコンクリートブロックは直方体の側面をなす４つの側壁から上下に開放状に形成されたものが上下に２段積み重ねて構成され、該上下に２段積み重ねられたプレキャストコンクリートブロックは基礎コンクリート上に設置され、前記礫は、基礎コンクリート上において下位のプレキャストコンクリートブロックの内部に充填され、前記充填された礫の上にコンクリートが打設され、上位のプレキャストコンクリートブロックの内部で前記コンクリート上には土壌が収容され、土壌には植物が植えられていることを特徴とする。
また、本発明は、前記第１ブロック列の上に積み重ねられるブロック列を構成する各プレキャストコンクリートブロックは直方体の側面をなす４つの側壁から上下に開放状に形成され、かつ、前記ブロック列は、上位に位置するブロック列にしたがって下位のブロック列の河川側部分を上方に開放させるように下位のブロック列の河川側の側壁に対して上位のブロック列の河川側の側壁を河川から離れるように設置され、各ブロック列のプレキャストコンクリートブロックの内部に土壌が収容され、前記上方に開放されたブロック列の部分の土壌に植物が植えられていることを特徴とする。
また、本発明は、最も上位のブロック列のプレキャストコンクリートブロックの土壌に、河川の水がポンプにより供給されることを特徴とする。
【０００６】
本発明の河川の護岸構造では、多数のプレキャストコンクリートブロックからなるブロック列が、上下に複数段積み重ねられて構成されているので、護岸としての本来の機能が十分に発揮される。
更に、護岸の内部に河川の水の一部を流し、護岸の内部で河川の水を浄化するようにしたので、水浄化のための専用の設備を設置することなく河川の水を浄化することができる。
【０００７】
【発明の実施の形態】
次に本発明の実施例について説明する。
図１は本発明の護岸構造が適用された河川の護岸の斜視図、図２は護岸部分の断面図を示す。
符号２は、コンクリート製のパネルが河川１の側部に斜めに敷き詰められた従来の護岸で、河川１に沿って延在する従来の護岸２の途中に本発明の護岸構造４が設けられている。
本発明の護岸構造４は、河川１の側部に沿って直線状に延在し上下に４段積み重ねられたブロック列６０１〜６０４を備え、各ブロック列６０１〜６０４は、多数のプレキャストコンクリートブロック（ＰＣブロック８）が河川１の側部に沿って直線状に並べられて構成されている。
【０００８】
図３に示すように、最下位に位置する第１ブロック列６０１は同一寸法の二つのＰＣブロック８０１が上下に積み重ねられて構成され、上下のＰＣブロック８０１は４つの側壁８０１Ａから上下に開放された矩形枠状に形成されている。
上下に積み重ねられたＰＣブロック８０１のうち下位のＰＣブロック８０１は、図２に示すように、河川１の側部に設けられた基礎コンクリート１２の上に設置され、下位のＰＣブロック８０１と基礎コンクリート１２との合せ部及び上下のＰＣブロック８０１の合わせ部に吸出し防止材１４が設けられ、合わせ部からの水の漏出を防止している。
隣接する下位のＰＣブロック８０１が相互に合わされる側壁８０１Ａの上部には、図２、図３（Ａ）に示すように、それぞれ連通孔１６が形成されている。
【０００９】
下位のＰＣブロック８０１の内部に礫１８が重点され、礫１８の上に遮水コンクリート２０が打設され、上位のＰＣブロック８０１内でコンクリート２０の上に土壌２２が充填される。なお、コンクリート２０は、土壌２２の礫１８側へ侵入を阻止するものである。
上位のＰＣブロック８０１が河川１に臨む側壁８０１Ａの下部には、ＰＣブロック８０１の内外を連通する水排出口２４が設けられ、ＰＣブロック８０１の内部でこの水排出口２４が位置する部分には礫が充填された不織布からなる袋２６が配置されている。
前記コンクリート２０により下位のＰＣブロック８０１の内部に、前記連通孔１６を介して、河川１の上流側１Ａから下流側１Ｂにわたって連通された空間部２８が形成されることになる。なお、この空間部２８を流す水の量を増やす場合には、図３（Ｂ）に示すように、隣接する下位のＰＣブロック８０１が相互に合わされる側壁８０１Ａの全体にわたって開口部３０を設ければよい。
図２に示すように、実施例では、河川１の底１０１が、下位のＰＣブロック８０１の高さ方向の中間部に位置し、河川１の平常水位１０３が下位のＰＣブロック８０１の上端面に位置し、洪水時の水位１０５が、上位のＰＣブロック８０１の上端面に位置するように設定されている。
【００１０】
図１に示すように、第１ブロック列６０１を構成する下位のＰＣブロック８０１のうち、河川１の最も上流側１Ａに配置されたＰＣブロック８０１の空間部２８に連通させて、河川１の水が導入される導入路３２が設けられている。
導入路３２は取水口３２０２や水通路３２０４からなり、取水口３２０２には布団篭が設けられ、水通路３２０４は、例えば、コンクリートブロックが土壌２２中に埋め込まれることで形成されている。
また、第１ブロック列６０１を構成する下位のＰＣブロック８０１のうち、河川１の最も下流側１Ｂに配置されたＰＣブロック８０１の空間部２８に連通させて、空間部２８内の水を河川１に戻す排出路３４が設けられている。
排出路３４は放流口３４０２や水通路３４０４からなり、水通路３４０４は、例えば、コンクリートブロックが土壌２２中に埋め込まれることで形成されている。
【００１１】
第１ブロック列６０１の上に設けられる第２ブロック列６０２は、河川１の延在方向に沿った側壁８０２Ａの長さが前記ＰＣブロック８０１と同一で、河川１の延在方向と直交する方向の側壁８０２Ａが前記ＰＣブロック８０１よりも小さい上下に開放状のＰＣブロック８０２により構成されている。
前記ＰＣブロック８０２は、第１ブロック列６０１のＰＣブロック８０１の土壌２２の河川１寄り箇所が、第２ブロック列６０２の前方において露出するように河川１と離れる方向にずらしてＰＣブロック８０１上に載置され、ＰＣブロック８０２の内部には土壌２２が充填され、図中１４は吸出し防止材を示す。
前記ＰＣブロック８０２が河川１に臨む側壁８０２Ａの下部には、ＰＣブロック８０２の内外を連通する水排出口４２が設けられ、ＰＣブロック８０２の内部でこの水排出口４２が位置する部分に、前記と同様な、礫が充填された不織布からなる袋２６が配置されている。
そして、第２ブロック列６０２の前方で露出する第１ブロック列６０１の各ＰＣブロック８０１の土壌２２部分に、例えば、ヨシ、マコモ、ススキ、チガヤ等の植物が植えられている。
【００１２】
また、第２ブロック列６０２の上に設けられる第３ブロック列６０３は、河川１の延在方向に沿った側壁８０３Ａの長さが前記ＰＣブロック８０２と同一で、河川１の延在方向と直交する方向の側壁８０３Ａが前記ＰＣブロック８０２よりも小さい上下に開放状のＰＣブロック８０３により構成されている。
前記ＰＣブロック８０３は、第２ブロック列６０２のＰＣブロック８０２の土壌２２の河川１寄り箇所が、第３ブロック列６０３の前方において露出するように河川１と離れる方向にずらしてＰＣブロック８０２上に載置され、ＰＣブロック８０３の内部には土壌２２が充填され、図中１４は吸出し防止材を示す。
前記ＰＣブロック８０３が河川１に臨む側壁８０３Ａの下部には、ＰＣブロック８０３の内外を連通する水排出口４４が設けられ、ＰＣブロック８の内部でこの水排出口４４が位置する部分に、前記と同様な礫１８が充填された不織布からなる袋２６が配置されている。
【００１３】
更に、第３ブロック列６０３の上に設けられる最上位の第４ブロック列６０４は、河川１の延在方向に沿った側壁８０４Ａの長さが前記ＰＣブロック８０３と同一で、河川１の延在方向と直交する方向の側壁８０４Ａの下部が前記ＰＣブロック８０３よりも小さい上下に開放状で側面視台形状のＰＣブロック８０４により構成されている。
前記ＰＣブロック８０４は、第３ブロック列６０３のＰＣブロック８０３の土壌２２の河川１寄り箇所が、第４ブロック列６０４の前方において露出するように河川１と離れる方向にずらしてＰＣブロック８０３上に載置されている。
そして、第４ブロック列６０４の前方で露出する各ＰＣブロック８０３の土壌２２部分に、例えば、スミレ、ナデヒコ、タンポポ、蔓等の植物が植えられている。
各ＰＣブロック８０４の下部には、礫４６が充填されると共に、礫４６の中に河川１の延在方向に平行させて管体４８が延設されている。
前記礫４６の上にはコンクリートが打設され、このコンクリートを介してガードレール４９が立設され、コンクリートの上には土壌２２が充填され、土壌２２にシバ等の植物が植えられている。
前記ＰＣブロック８０４が河川１に臨む側壁８０４Ａの下部には、ＰＣブロック８０４の内外を連通する水排出口５０が設けられている。
前記管体４８にはその延在方向に間隔をおいて多数の孔が形成され、図１に示すように前記ＰＣブロック８０４のうち、河川１の最も上流側１Ａに配置されたＰＣブロック８０４の内部に位置する管体４８箇所に、河川１の水がポンプＰにより吸い上げられて供給され、これにより河川１の水は、礫４６に流出しつつ管体４８内を河川１の下流側１Ｂに配置されたＰＣブロック８０４側へと流動していき、河川１の上流から下流にわたる全てのＰＣブロック８０４の内部の礫４６に河川１の水が供給されることになる。
【００１４】
次に、作用について説明する。
実施例に係る護岸構造４によれば、河川１の側部に沿ってＰＣブロック８が直線状に並べられたブロック列６が上下に４段積み重ねられて構成されているので、流水による先掘りが確実に防止され、護岸としての本来の機能が十分に発揮される。
また、河川１の水は、最下位である第１ブロック列６０１のＰＣブロック８０１のうち河川１の最も上流側１Ａに位置するＰＣブロック８０１の空間部２８に、導入路３２を介して供給される。
空間部２８に供給された河川１の水は礫１８の間の隙間、連通孔１６を通って順次下流側１Ｂに位置するＰＣブロック８０１の空間部２８へと流動していき、排出路３４から河川１に戻される。
一方、河川１の水が供給されることで各ＰＣブロック８０１の空間部２８に充填された礫１８の表面には生物膜が生じ、河川１の水は礫１８の間の隙間を通る際に、礫１８表面の生物膜による酸化反応により有機物や窒素が分解され、浄化される。
従って、礫１８により浄化された水が排出路３４から河川１に戻される。
【００１５】
また、河川１の水はポンプＰにより管体４８に供給され、管体４８の多数の孔から或はＰＣブロック８０４の水排出口５０から、河川１の上流から下流にわたる第３ブロック列６０３の土壌２２に浸透していく。
そして、第３ブロック列６０３の土壌２２から第２ブロック列６０２の土壌２２へ、第２ブロック列６０２の土壌２２から第１ブロック列６０１の土壌２２へと、順次下位のブロック列へ河川１の水が土壌２２を通して、或は、水排出口４２、４４を介して供給され、最も下位の第１ブロック列６０１の水排出口２４から河川１に戻される。なお、各ＰＣブロック８の水排出口２４、４２、４４から水が流出する際に、水排出口２４、４２、４４箇所に、礫１８が充填された不織布からなる袋２６が配置されているので、土砂の流出は防止される。
一方、河川１の水が供給されることで土壌２２中には微生物が繁殖し、微生物による分解作用や、植物の吸収作用により、窒素、リン等アオコ発生の原因である栄養塩類が除去され、河川１の水が浄化される。
従って、土壌２２により浄化された水が第１ブロック列６０１の水排出口２４から河川１に戻される。
【００１６】
このように実施例に係る護岸構造４によれば、護岸としての本来の機能が十分に発揮されることは無論のこと、護岸の内部で河川１の水を浄化でき、従って、護岸自体を利用することで水浄化のための専用の設備を設置することなく河川１の水を浄化することができる。
また、実施例ではＰＣブロック８の内部に土壌２２を充填し、この土壌２２によっても水を浄化するようにしたので、水の浄化効率をより高めることが可能となる。
【００１７】
【発明の効果】
以上の説明で明らかなように本発明の河川の護岸構造では、多数のプレキャストコンクリートブロックからなるブロック列が、上下に複数段積み重ねられて構成されているので、護岸としての本来の機能が十分に発揮されることは無論のこと、護岸の内部に河川の水の一部を流し、護岸の内部で河川の水を浄化するようにしたので、水浄化専用の設備を不要とし、コスト的にも、また、スペース的にも有利な水浄化機能を備えた護岸構造が得られる。
【図面の簡単な説明】
【図１】本発明の護岸構造が適用された河川の護岸の斜視図である。
【図２】本発明の護岸構造の断面図である。
【図３】（Ａ）、（Ｂ）はそれぞれＰＣブロックの斜視図である。
【符号の説明】
８  ＰＣブロック
１６  連通孔
１８  礫
２２  土壌
２４  水排出口
２８  空間部
３２  導入路
３４  排出路
６０１〜６０４  ブロック列
【図１】
0003747270.tif 000002
【図２】
0003747270.tif 000003
【図３】
0003747270.tif 000004